(57)【特許請求の範囲】
【請求項１】
透明基板上に発光層を形成し、当該発光層の表裏より電圧を印加して発光する光源において、
光源全体の長さより短い透明基板に上記発光層が形成された同一色に発光する複数の光源片を、当該光源の長手方向に継ぎ合わせて必要な長さとし、
上記複数の光源片における各光源片の少なくとも一方の長手方向の端部近傍の発光面が他の発光面の幅よりも幅狭に構成され、隣接する光源片の幅狭に構成された端部近傍の発光面と相補して継ぎ合わせられたことを特徴とする画像読取装置の光源。
【請求項２】
上記複数の光源片における各光源片の少なくとも一方の長手方向の端部近傍の発光面において鋭角を具備して構成されているとともに、隣接する光源片の鋭角を具備して構成された端部近傍の発光面と相補して継ぎ合わせられた請求項１に記載の画像読取装置の光源。
【請求項３】
上記複数の光源片における各光源片の少なくとも一方の長手方向の端部近傍の発光面が略Ｌ字型に構成されているとともに、隣接する光源片の略Ｌ字型に構成された端部近傍の発光面と相補して継ぎ合わせられた請求項１に記載の画像読取装置の光源。
【請求項４】
上記相補して継ぎ合わせられた端部の発光面の短手方向の幅が、継ぎ合わされていない発光面の短手方向の幅と等しいかそれ以上に構成された請求項１に記載の画像読取装置の光源。
【請求項５】
上記発光層が、エレクトロルミネッセンスから構成される請求項１に記載の画像読取装置の光源。
【請求項６】
透明基板上に発光層を形成し、当該発光層の表裏より電圧を印加して発光する光源において、
光源全体の長さより短い透明基板に上記発光層が形成された光源片を複数長手方向に継ぎ合わせて必要な長さとし、上記光源片の長手方向の端面が略Ｌ字型であると共に、光源片の短手方向の中央部より偏芯した画像読取装置の光源。
【請求項７】
複数の光源片を一列に継ぎ合わせて形成される光源を、レンズに対して左右に一列ずつ配置し、上記左右に一列ずつ配置された各光源片の継ぎ合わせ部分が、レンズの長手方向の異なる位置に形成されたことを特徴とする画像読取装置の光源。
【請求項８】
透明基板上に発光層を形成し、当該発光層の表裏より電圧を印加して発光する光源を用いた画像読取装置において、
光源全体の長さより短い透明基板に上記発光層が形成された同一色に発光する複数の光源片を、当該光源の長手方向に継ぎ合わせて必要な長さとし、
上記複数の光源片における各光源片の少なくとも一方の長手方向の端部近傍の発光面が他の発光面の幅よりも幅狭に構成され、隣接する光源片の幅狭に構成された端部近傍の発光面と相補して継ぎ合わせられたことを特徴とする画像読取装置。
【請求項９】
上記複数の光源片における各光源片の少なくとも一方の長手方向の端部近傍の発光面において鋭角を具備して構成されているとともに、隣接する光源片の鋭角を具備して構成された端部近傍の発光面と相補して継ぎ合わせられた請求項８に記載の画像読取装置。
【請求項１０】
上記複数の光源片における各光源片の少なくとも一方の長手方向の端部近傍の発光面が略Ｌ字型に構成されているとともに、隣接する光源片の略Ｌ字型に構成された端部近傍の発光面と相補して継ぎ合わせられた請求項８に記載の画像読取装置。
【請求項１１】
上記相補して継ぎ合わせられた端部の発光面の短手方向の幅が、継ぎ合わされていない発光面の短手方向の幅と等しいかそれ以上に構成された請求項８に記載の画像読取装置。
【請求項１２】
上記発光層が、エレクトロルミネッセンスから構成される請求項８に記載の画像読取装置。
【請求項１３】
透明基板上に発光層を形成し、当該発光層の表裏より電圧を印加して発光する光源を用いた画像読取装置において、
光源全体の長さより短い透明基板に上記発光層が形成された光源片を複数長手方向に継ぎ合わせて必要な長さとし、上記光源片の長手方向の端面が略Ｌ字型であると共に、光源片の短手方向の中央部より偏芯した画像読取装置
【請求項１４】
複数の光源片を一列に継ぎ合わせて形成される光源を、レンズに対して左右に一列ずつ配置し、上記左右に一列ずつ配置された各光源片の継ぎ合わせ部分が、レンズの長手方向の異なる位置に形成されたことを特徴とする画像読取装置。
【発明の詳細な説明】
【０００１】
【発明の属する技術分野】
本発明は光源に関し、特に、画像読取装置の光源および当該光源を使用した画像読取装置に関するものである。
【０００２】
【従来の技術】
画像読取装置を使用した複写機、プリンタ、ファクシミリ、或いはファクシミリと複写機とプリンタの機能を兼ね備えたマルチファンクションプリンタ等の機器は、用紙或いはシート状の記録媒体等（以下、原稿と呼ぶ）に描かれた文字・図柄の形状等のイメージを読み取る画像読取装置を備えている。
【０００３】
上記画像読取装置の光源として、縮小光学方式（縮小ＣＣＤ方式）が従来よく知られているが、この構成は十分な発光輝度を得ることができ、レンズの焦点深度を大きくとることによって、原稿面から原稿が浮いた状態でも鮮明な画像を得ることができる利点がある。しかしながら、大型となることから、より小型化・薄型化を配慮するときは、図１７に示すように等倍正立で原稿からの情報をセンサに導く密着方式が用いられるようになっている。
【０００４】
すなわち、光源としてのLED アレイ１１２を原稿面斜め上方に左右対称に配列し、当該原稿面に照射された光を上記２つのLED アレイ１１２の中間上方位置に配置した下記ロッドレンズアレイ１２１で受ける構成となっている。上記LED アレイ１１２は例えば図１８に示すように基板１２４上にLED 素子１２５を主走査方向に多数配列した構成である。上記ロッドレンズアレイ１２１は、例えば図１９に示すように、まず所定長さ、所定径の円柱形状のロッドレンズ１２２を、所定数隣接させて複数列に、上記LED アレイ１１２の長さに対応した長さ配列し、基板１２４で挟み込んだ構成になっている。
【０００５】
この構成によると縮小光学方式（縮小ＣＣＤ方式）に比べて、原稿面１０６と当該ロッドレンズ１２２との距離を小さくできるので装置全体をかなり小さくできることになる。また上記ロッドレンズ１２２の焦点距離を小さくすることでよりより薄型の装置を期待することができる。ロッドレンズアレイ１２１の焦点距離を小さくするには、ロッドレンズ１２２の径を小さくするようにすればよいが、各ロッドレンズ１２２の径を小さくすると、各ロッドレンズ１２２間のクロストークやフレア光等の光ノイズが多くなりＭＴＦ（ｍｏｄｕｌａｔｉｏｎ  ｔｒａｎｓｆｅｒ  ｆｕｎｃｔｉｏｎ）値が低下する。そこで本願出願人は特願2000-224156にてより光ノイズの少ないロッド（ファイバ）レンズアレイの構成（後に説明）を提案している。
【０００６】
更に、当該LED アレイ１１２に使用される光源は点光源の集合であるので、上記LED アレイ１１２を使用したとしても、原稿面１０６と当該光源との間にある程度の距離を保たないと原稿面１０６上での照度の均一性が確保できない。この点で、上記ＬＥＤアレイ１１２を用いての密着方式の装置の薄型・小型化を進めるには限度があることになる。そこで本願出願人は、より薄型・小型化を図る目的で発光媒体として層状のエレクトロルミネッセンスを用いた特願2000-217561 等で提案している。
【０００７】
その構成は例えば図２０に示すように、走査方向に長いガラス基板あるいは透明樹脂等の透明基板１０１上に透明電極層１０２を形成し、その背面に発光媒体としての発光層１００を形成し、更にその背面に金属電極層１０３を積層したものである。この構成の上記２つの電極層１０２・１０３に所定の電圧を印加することで、上記透明電極１０２の前面から所定の強度の発光を得ることができる。カラー画像を得たいときにはＲＧＢの３種の光を発光する３種の発光層を上記透明基板１０１上に形成することになる。
【０００８】
上記のように構成された光源を使用した画像読取装置の構成は後に説明するようにＬＥＤアレイ１１２を使用した構成とほぼ同じではあるが、光源から均一な光が原稿に照射されるので、より原稿に対して光源を近づけることができる。更に、ロッドレンズアレイを構成する各ロッドレンズ１２２の径を小さくして焦点距離を短くすることによって、より薄型の画像読取装置を構成することが期待できることになる。尚、上記発光層１００は、一般的な薄膜形成に用いられる蒸着等に限らず、印刷、塗布等で形成されてもよい。
【０００９】
【発明が解決しようとする課題】
上記のように発光媒体としてエレクトロルミネッセンスを用いた光源であっても種々の要因でその発光輝度が位置、特に長手方向の位置に依存することになる。その要因として電極層（特に透明電極）等の抵抗が考えられる。すなわち、リードと透明電極層１０２、又リードと金属電極層１０３との接続点Ｐからの距離が遠い部分のエレクトロルミネッセンスの発光輝度は、接続点Ｐの近傍部分のエレクトロルミネッセンスに比べて発光輝度が小さい。
【００１０】
また、光源の発光輝度が位置に依存する要因としてエレクトロルミネッセンスの厚みのばらつきも考えられる。これは一定長さ以上の厚みが均一なエレクトロルミネッセンスを製造することは困難であるためである。
【００１１】
光源の発光輝度が均一でない場合、原稿面１０６上では均一な照度が得られないために、センサ１０８が読み取る画像濃度は原稿の位置に依存することになる。
【００１２】
本発明は上記従来の事情に鑑みて提案されたものであって、均一な発光輝度を得ることができる画像読取装置用の光源を提供することを目的とするものである。
【００１３】
【課題を解決するための手段】
本発明は上記目的を達成するために以下の手段を採用している。すなわち、透明基板上に発光層を形成し、当該発光層の表裏より電圧を印加して発光する光源において、光源全体の長さより短い透明基板に上記発光層が形成された同一色に発光する複数の光源片を、当該光源の長手方向に継ぎ合わせて必要な長さとし、
複数の光源片における各光源片の少なくとも一方の長手方向の端部近傍の発光面が他の発光面の幅よりも幅狭に構成され、隣接する光源片の幅狭に構成された端部近傍の発光面と相補して継ぎ合わせる画像読取装置の光源とする。
【００１４】
発光層の厚みを調整しやすい（均一にしやすい）長さの発光層を形成した複数の光源片を用いて光源を形成することで、発光輝度が均一な光源を得ることができる。
【００１５】
図２に示すような光源片の端面は、封止処理のために発光層が積層されていないため、光源片を継ぎ合わせて構成される光源の発光輝度は、継ぎ合わせ部分で著しく小さくなる。そこで光源片の継ぎ合わせ部分付近の発光層の幅を広くしたりして、継ぎ合わせ部分の発光輝度の補償を行うようにする。上記発光層としてエレクトロルミネッセンスを使用することができる。
【００１６】
また、上記の光源は画像読取装置に適用することができる。
【００１７】
【発明の実施の形態】
（実施の形態１）
図１（ａ）は本発明の画像読取装置用の光源５を示した平面図であり、図１（b）は断面側面図である。光源５は、複数の光源片５０α、β…が継ぎ合わされて構成される。上記光源片５０α、β…は、上記従来の光源と同じ構成となっている。即ち、走査方向に長いガラス基板あるいは透明樹脂等の透明基板片５２α、β…上に透明電極層５３α、β…が構成され、該透明電極層５３α、β…上に発光媒体としての発光層５１α、β…が構成され、該発光層５１α、β…上に金属電極層５４α、β…が構成されている。本実施の形態においては、上記発光層５１α、β…の材料としてエレクトロルミネッセンスが用いられるものとする。上記透明電極層５３には、リード１０が接続され、上記金属電極層５４には、リード１１が接続されている。
【００１８】
ところで、上記に使用されるエレクトロルミネッセンスは湿度の影響を受けやすいため、光源片５０α、５０β…内の湿気の侵入を防止する目的と、エレクトロルミネッセンスの物理的な損傷を防止する目的で封止処理がなされる。すなわち光源片５０α、５０β…は、以下のようにして作成される。
【００１９】
図２に示すように、まず透明基板片５２αの端面５６から０．３〜０．５ｍｍの封止処理部５７α以外に、上記のように上記透明電極層５３α、発光層５１α、金属電極層５４αが積層される。次に、当該封止処理部５７αに、封止処理のためのエポキシ樹脂等の接着性のある樹脂５８が塗布される。最後に、金属電極層５４αとエポキシ樹脂５８との上に、封止ガラス５９αが被せられる。
【００２０】
このように作成された光源片５０α、５０β…は順次接着剤等で端面５６が相互に継ぎ合わされて１本の光源５が構成される。従って、各光源片５０α、５０β…の長手方向の長さを、透明電極層５３α、５３β…、金属電極層５４α、５４β…あるいは発光層５１α、５１β…の膜厚が均一に形成（例えば、蒸着方法で）できる程度（８０ｍｍ程度）で構成することで、光源５の長さに関係なく、当該光源から所定の距離に置かれた原稿面上の照度を均一にすることができる。
【００２１】
（実施の形態２）
ところで図１（ａ）の光源片５０α、５０β…を構成する発光層５１α、５１β…の形状は矩形であり、各光源片５０α、５０β…の当接部分が光源片５０α、５０β…の短手方向と平行となっている。従って、光源片５０α、５０β…を継ぎ合わせると、端面５６の近傍は上記封止処理部５７α、５７β…があるために発光しないことになる。そのために、このように光源片５０α、５０β…を継ぎ合わせた光源５の発光輝度は、封止処理部５７α、５７β…の部分で殆どゼロとなる。そこで本実施の形態ではこの発光輝度の減衰を以下のようにして補償する構成としている。
【００２２】
図３は本実施の形態を示す図である。各光源片５０α、５０β…の端部５６から１０ｍｍ以内の発光層５１の幅はその他の部分の幅よりも広くなっている。
【００２３】
これによって発光層５１α、５１β…の幅は光源片５０α、５０β…の中央部で小さく端部で大きくなって、光源片５０α、５０β…が継ぎ合わせられる端面５６付近の発光輝度の減衰を補償することができることになる。
【００２４】
（実施の形態３）
図４は本発明の更に別の実施の形態を示す構成図である。実施の形態１では光源片５０の発光層１の形状は矩形であるため、端面５６付近の発光輝度が殆どゼロとなる。そこで、端面５６を透明基板片５２の短手方向に対してある程度角度を持たせた構成にすると、上記の欠点は緩和されることになる。すなわち図４に示すように、各光源片５０α、５０β…と発光層５１α、５１β…の形状を平行四辺形にする。例えば光源片５０α、５０βを継ぎ合わせたときに光源片５０αと光源片５０βとが短手方向にオーバラップするような構成とする。この構成によって上記発光層５１α、５１βの封止処理部５７α、５７βが、長手方向に広がって分布することになり、当該封止処理部５７が特定の部分に集中することを防止することができる。
尚、このような平行四辺形の光源片５０α、５０β…を継ぎ合わせた光源５の発光輝度が長手方向の位置に依存しないようにするために、光源片５０αの発光層５１αが、光源片５０βの発光層５１βとオーバラップする長さＱを、発光層５１α、５１β間の距離（欠落部４０の長さ）Ｉの５倍以上にすることが望ましい。また、発光層１α、１βの幅Ｗを、オーバラップする長さＱの１．７倍以下にすることが望ましい。
【００２５】
また、図５に示すように光源片５０を略Ｌ字状とした構成としてもよい。この構成の場合、光源片５０αの発光層５１αと、光源片５０βのエレクトロルミネッセンス５１βとがオーバラップするオーバラップ部Ｊにおける光源５の幅を、他の部分よりも広くする。光源５の幅を広げることで、オーバラップ部Ｊの発光層５１の幅を広くすることが可能となる。
【００２６】
図５に示す構成において、発光輝度が長手方向の位置に依存しない光源を得るために、発光層５１αと発光層５１βがオーバラップする光源５の長手方向の長さＭを、発光層５１αと５１β間の距離Ｋの５倍以上にすることが望ましい。
【００２７】
更に、継ぎ合わせ部分の発光輝度の低下を軽減するために、例えば、図５に示すように、光源片５０α、５０β…の継ぎ合わせ部に形成される発光層５１の欠落部４０を光源５の短手方向の中心から偏芯させる構成にするのが望ましい。欠落部４０を偏心する場合、光源片５０α、５０β…の一方端に形成される凸部の幅Ｓを発光層５１の幅Ｗの３分の１以上にしておくことが望ましい。
【００２８】
（実施の形態４）
光源片５０α、５０β…の発光輝度は発光層５１α、５１β…の電界強度によっても変化する。すなわち、同じ電極間電位のもとでは発光層５１の膜厚が薄いと電界強度が大きくなり発光層５１α、５１β…の発光輝度は高くなる。従って、図６に示すように、上記端面５６から例えば、１０ｍｍ以内の発光層１の膜厚を中央部の膜厚より薄くしておけば本発明の目的を達成することが可能となる。
【００２９】
（実施の形態５）
また、継ぎ合わせ部分の発光輝度を補償するために、図７に示すように、エレクトロルミネッセンスを材料とする端部発光層２２と中央部発光層２１とから発光層５１を構成するようにしても良い。
例えば、透明基板片５２の封止処理部５７から５ｍｍ以内に、上記端部発光層２２の透明電極層３２を積層し、その上に端部発光層２２を積層し、更にその上に端部発光層２２の金属電極層４２を積層する。また、上記端部発光層２２より内側には、上記中央部発光層２１の透明電極層３１を積層し、その上に中央部発光層２１を積層し、更にその上に中央部発光層２１の金属電極層４１を積層する。尚、上記透明電極層３１、３２はリード１０と、上記金属電極層４１、４２はリード１１と接続されている。
ここで、継ぎ合わせ部分において、一定の発光輝度を得るために、上記中央部発光層２１と端部発光層２２との発光を制御する発光制御手段Ｈは、リード１０、１１を介して端部発光層２２の透明電極層３２、金属電極層４２間に中央部発光層２１の透明電極層３１、金属電極層４１間より大きな電圧を印加する。これにより、端部発光層２２の発光輝度が強くなり、このような光源片５０を継ぎ合わせて光源５を構成することで、光源５の発光輝度は長手方向の位置に依存しないようになる。
更に、長手方向の位置に対して均一な輝度に発光する光源５を得るために、端部発光層２２の厚みを中央部発光層２１よりも薄く構成するようにしてもよい。
（実施の形態６）
以上のように構成された光源５は、例えば図８に示すような画像読取装置の光源ユニット１５の光源５ａ、５ｂとして用いることができる。光源５ａ、５ｂは原稿の読み取り位置Ｐａに対して斜上方に、左右対称に配置される。  また読み取り位置Ｐａの垂直方向上方には後述するファイバレンズ１４が配置される。
【００３０】
この構成において、光源５ａ、５ｂは面発光であるために光源を読み取り位置Ｐａに近づけても、読み取り位置Ｐａ上の照度は光源５ａ、５ｂの長手方向の位置に依存しなくなる。上記光源５ａ、５ｂを読み取り位置Ｐａに近づけることで、当該光源５ａ、５ｂとファイバレンズ１４とからなる光源ユニット１５の小型化を図ることができる。また光源ユニット１５を小型化することで、画像読取装置全体を小さくするも可能となる。
【００３１】
光源５ａ、５ｂとして、光源５を用いた光源ユニット１５を用いて読み取り位置の照度測定した結果、以下の点が確認された。光源５ａ、５ｂの中央部Ｏと読み取り位置Ｐａとの距離を１ｍｍまで近づけても均一な照度を得ることができることである。尚、光源ユニット１５の光源５ａ、５ｂにＬＥＤアレイ１１２（図１８）を用いた場合、ＬＥＤ素子１２５の中央部Ｏと読み取り位置Ｐａとの距離を７ｍｍ以下すると、読み取り位置Ｐａにおいて均一な照度は得られない。
光源５は、光源片５０の継ぎ合わせ部分に欠落部４０ができる。欠落部４０による、発光輝度の低下を緩和するために、光源５ａ、５ｂとして光源５を用いる場合は以下のように光源５を配置するようにする。
光源５ａ、５ｂに形成される欠落部４０ａ、４０ｂが、集光レンズ１４の長手方向に対して同じ位置に存在しないように配置する。例えば図９（ａ）に示すように光源５ａを光源５ｂに対して集光レンズ１４の長手方向にずらして配置する。ずらす距離は、例えば光源５ａ、５ｂの全長が３２０ｍｍで、光源５ａ、５ｂの欠落部４０ａ、４０ｂの長さが１ｍｍの場合、２ｍｍ以上であることが好ましい。
このように配置することで、図１０（ａ）に示すように欠落部４０ａ、４０ｂが集光レンズ１４の長手方向の同じ位置に存在するように光源５ａ、５ｂを配置した場合に比べて、欠落部４０ａ、４０ｂによる読み取り位置Ｐａの照度のばらつき量が小さくなる。
図９（ｂ）、図１０（ｂ）は、光源５を図９（ａ）、図１０（ａ）に示すように配置した場合の読み取り位置Ｐａにおける照度分布を示している。
【００３２】
尚、欠落部４０ａ、４０ｂを集光レンズ１４の長手方向に対して離れた位置に配置するための構成としては、次にような構成も考えられる。即ち、光源５ａ又は光源５ｂの両端部の光源片５０に他の光源片５０より短い光源片５０を用いる構成である。
【００３３】
（実施の形態７）
図１１の構成において、ファイバレンズ１４の焦点深度を深く保持した状態で当該ファイバレンズ１４を読み取り位置Ｐａに近づけるには、当該レンズ１４を構成するファイバの径を従来のロッドの径に比して小さくするか、図１７に示す原稿面６からセンサ８間での距離（共役長）を長くする必要がある。従来のロッドレンズ１２２では、径の縮小化に限度があるため共役長を大きくして焦点深度を深く保持していたが、このように、共役長を大きくすると、画像読取装置の薄型・小型化を図ることに反することになる。
そこで、図１１に示すように、当該ファイバレンズ１４は細い径、すなわち０．５ｍｍ以下の光ファイバ１４０を束ねることによって構成される。これによって、当該ファイバレンズ１４の焦点距離を短くすると共に焦点深度を深くすることができ、全体の光路長を抑え、画像読取装置の薄型・小型化を図ることができるが、逆に、クロストークとフレア等の現象が顕著になる。そこで、図１２に示すように、所定長さの光ファイバ１４０単体のそれぞれの外周に光吸収層１４３を形成するか、あるいは、上記図１１に示すように、所定長さの光ファイバ１４０を複数本束ね、その外周に光吸収層１４１を形成したファイバ束１４４を形成する。
ここで、上記ファイバ束１４４は、上記クロストークとフレア等の現象を防止するため、下記の関係を満たすようにする。つまり、図１３に示すように、ファイバ束１４４の一辺の長さ（外径）Ｙを光ファイバ１４０の長さＮで除した値が、当該光ファイバ１４０の中心軸Ｚと入射光Ｖとの間の角度である開口角ωの正接値よりも小さくなる関係を満たすように、当該開口角ωを設定する。この開口角ωとは、光を正常に伝送することができる最大の角度をいう。図１３では、光を正常に伝送することができる最大の角度で光Ｖが光ファイバ１４０に入射している状態を示しているので、この図でいうと、光ファイバ１４０の中心軸Ｚと入射光Ｖとの間の角度が開口角ωに相当する。
このように光吸収層１４３を形成した光ファイバ１４０単体を複数本或いは光吸収層１４１を形成したファイバ束１４４の複数個を、上下が開放された所定の形状の型枠に当該光ファイバ１４０の長さ方向を上下に向けて径方向に並列に充填し、接着剤を各光ファイバ１４０の隙間に充填して固化し、脱枠する。上記型枠の所定形状とは、当該ファイバレンズ１４を用いた複写機等の画像読取装置が本来の機能を発揮するに必要な形状であって、通常原稿搬送方向に直角な長さの帯状となる。更に、図１４に示すように成形上必要であれば上記光ファイバ１４０単体もしくはファイバ束１４４を上記型枠内で、不透明なガラス或いは樹脂等の基板１４２で挟み込むようにし、当該基板１４２と上記光ファイバ１４０単体相互あるいは、ファイバ束１４４相互を上記の方法で接着するようにしてもよい。
【００３４】
また、光吸収層１４３を形成した光ファイバ１４０単体を複数本或いは光吸収層１４１を形成したファイバ束１４４の複数個を、例えば当該光ファイバ１４０の長さ方向を径方向に並列に密着配置し、隙間に接着剤を充填すると共に、所定形状の２枚の不透明なガラス或いは樹脂等の基板１４２で挟み込み、熱圧着することにより上記接着剤を固化させる方法（図示せず）がある。
【００３５】
上記光ファイバ１４０は屈折率が軸と直角方向で外周に向かって漸次小さくなっており、上記光吸収層１４１・１４３がなくても原理的には光は中心方向に収束するようになっているが、現実の問題として径が細くなると、上記クロストークあるいはフレア現象が顕著になり、上記光吸収層１４１・１４３を形成することが必要となる。
【００３６】
尚、上記光吸収層１４１・１４３は黒色の樹脂をコーティング、ディッピング、あるいは蒸着することで形成することができる。また、上記型枠に光ファイバ１４０単体あるいはファイバ束１４４を充填した状態で用いられる接着剤は、従来からある接着剤でもよいが、上記クロストークあるいはフレア現象を防止できるような黒色等の接着剤を用いることが好ましく、これらの接着剤が上記光吸収層１４１となる。ここで、上記黒色等の接着剤で光吸収層を兼ねるようにする場合は、上記光ファイバ１４０単体あるいはファイバ束１４４の外周に当該接着剤を形成しておき、上記と同様に上下が開放された所定の形状の型枠を使用した方法、又は２枚の基板１４２で挟み込み、熱圧着する方法等で上記ファイバレンズ１４を製造する。勿論、この製造において上記黒色等の接着剤が光ファイバ１４０単体あるいはファイバ束１４４の外周の全体に行き渡るようにする。上記接着剤としては、例えば、軟化点が低いガラス或いは樹脂等を使用することができるが、この軟化点は上記ファイバレンズ１４を構成する光ファイバ１４０や基板１４２等の材料よりも低いことが必要である。
【００３７】
さて、ここで、上記ファイバレンズ１４の備える光ファイバ１４０の径を、従来のロッドレンズの径の１／６である約０．１ｍｍとし、当該光ファイバ１４０の長さを、当該ロッドレンズの長さの１／６である約４．０ｍｍとした場合、図１５に示す読取装置１２０ａ・１２０ｂは、原稿９の表面に対して垂直方向の厚みが、従来の密着方式の画像読取装置の１／６である約１０ｍｍとなる。
【００３８】
図１５は本願発明が適用された、画像読取装置を示すものであり、この場合は表裏両面が読み取ることが可能な構成となっている。もちろんこの画像読取装置は、ファックッスに使用されてもよいし、コピー機に使用されてもよい。
【００３９】
従来と同様、原稿搬送部１６２を構成するピックローラ１５１で装置内に引き込まれた原稿９は上下の送り込みローラ１５２ａ・１５２ｂによって、水平の搬送路１３３に送り込まれる。この搬送路１３３には原稿９を上下の送り込みローラ１５２ａ・１５２ｂより受け取って後方へ搬送するベルトローラ１６４が設けられ、原稿９の先端が所定の位置に来たときに稼働するよう制御されるようになっている。
【００４０】
上記水平の搬送路１３３の前端付近には上下２つの読取装置１２０ａ・１２０ｂが配置され、原稿９の搬送時に上下の読み取り位置Ｐａ・Ｐｂで当該原稿９の両面を同時に読み取るようになっている。
【００４１】
ここで、下側の読取装置１２０ｂは、原稿面１３６から浮くような原稿、例えば見開いた状態の本を読み取るため、深い焦点深度が要求される。そこで、図１１に示すファイバレンズ１４と本願発明の光源５とを下側の読取装置１２０ｂに用いることで、読取装置全体を薄く設計することができることになる。もちろん、上下両側の読取装置１２０ａ・１２０ｂに図１１に示すファイバレンズ１４と本願発明の光源５を用いることにより、画像読取装置の薄型化をより一層図ることができるようになる。
【００４２】
上記のように、原稿９の両面のイメージを読み取る場合、上下側の読取装置１２０ａ・１２０ｂの各光源からの照射光が、上下の同じ位置を照射するようにすると、相互の照射光が干渉することになる。そこで、上記読取装置１２０ａ・１２０ｂの各配置を、当該読取装置１２０ａ・１２０ｂの各光源よりの照射光が上下で同じ位置とならない程度にずらせ、上記の干渉を防止するようにしている。
【００４３】
また、上記読取装置１２０ａ・１２０ｂは、原稿９の両面のイメージを読み取った各読み取り情報に影響を与えるγ値（濃度対センサ出力値）、階調特性等の読み取り特性を持つ。ここで、上記複写機の備える用紙等の両面に印字されるイメージの印字画質は、同等であることが望ましく、そのためには上側の読取装置１２０ａからの読み取り情報と下側の読取装置１２０ｂからの読み取り情報が同一であることが必要となる。そこで、上記複写機は、読み取り補正手段１３２を備えて、上記読取装置１２０ａ・１２０ｂの各読み取り特性を補正して同一となるように構成されている。
【００４４】
例えば、上記γ値において、原稿９からの反射光の光量（所定時間の光束の総量）とセンサ部の出力、及びγ値の関係は図１６に示すように、一般的にγ＞１とγ＝１、或いはγ＜１のグラフとなる。ここで、任意の光量値ａでセンサ出力を大きくする場合は、上記読み取り補正手段１３２でγ＞１となるようにγ値を補正する。同様に、上記読み取り補正手段１３２でγ＝１、或いはγ＜１となるように補正して上記光量とセンサ出力の値の調整を行い、上下両側の読取装置１２０ａ・１２０ｂの読み取り情報を同一にする。
【００４５】
その他、上記複写機が備える上下両側の読取装置１２０ａ・１２０ｂの中、上側の読取装置１２０ａを固定して、下側の読取装置１２０ｂを移動式としてもよく、例えば従来と同様に縮小光学方式（縮小ＣＣＤ方式）を用いた移動式としてもよい。
【００４６】
この場合のイメージの読み取り動作は、まず上記原稿搬送部１６２に挿入された原稿９を上記ピックローラ１５１及び送り込みローラ１５２ａ・１５２ｂが上記搬送部１３３に搬送する。これにより、原稿９は、上記固定式の読取装置１２０ａによって読み取られながら水平の搬送路１３３に送り込まれるが、搬送路１３３の下側にはガラスよりなる読み取り台（図示せず）が配置されており、原稿９が当該読み取り台に載置された状態で、ベルトローラ１６４は一旦停止し、光源である上記の蛍光灯（すなわち読み取り位置Ｐｂ）が移動する。そして、上記読取装置１２０ｂによる読み取りが終了すると、更に上記ベルトローラ１６４が稼働して原稿９を排出するようになっている。
【００４７】
このように、下側の読取装置１２０ｂを縮小光学方式（縮小ＣＣＤ方式）を用いた移動式とすると共に、上記ガラスの原稿台上に原稿９を上から載置できる現状のコピー機と同様の構成とすることによって、本等の原稿搬送部１６２で送り込むことが出来ない原稿にも対応することができることになる。
【００４８】
勿論、上記のように縮小光学方式（縮小ＣＣＤ方式）を用いた下側の読取装置１２０ｂを移動するのでなく、蛍光灯を所定位置に固定しておき、ベルトローラ１６４によって搬送される原稿９に対応して読み取る構成も可能である。
【００４９】
ところで、上記は本発明の光源を利用した画像読取装置を複写機に適用した場合であるが、その他、ファクシミリや画像読取装置、或いはマルチファンクションプリンタ等にも同様に適用できる。
【図面の簡単な説明】
【図１】本発明の画像読取装置用光源を示した平面図と側面図である。
【図２】光源片の部分断面を示す図である。
【図３】端面付近のエレクトロルミネッセンス層の幅が広い光源を示す図である。
【図４】端面が光源の短手方向に対して傾斜した光源を示す図である。
【図５】略Ｌ字状の光源片から構成された光源を示す図である。
【図６】端面付近のエレクトロルミネッセンス層の膜厚が薄い光源片の断面図である。
【図７】中央部発光層と端部発光層とを備えた光源片を示す構成図である。
【図８】光源ユニットを示した図である。
【図９】光源ユニットの平面図と読み取り位置の照度分布とを示す図である。
【図１０】光源ユニットの平面図と読み取り位置の照度分布とを示す図である。
【図１１】画像読取装置が備えるファイバレンズの斜視図である。
【図１２】画像読取装置が備えるその他のファイバレンズの斜視図である。
【図１３】ファイバレンズを構成する光ファイバの斜視図である。
【図１４】ファイバレンズのＸ−Ｘ'断面図である。
【図１５】両面読み取りを行う複写機の構成図である。
【図１６】読み取り補正手段のγ値による補正の一例を示した図である。
【図１７】従来の密着方式の画像読取装置の構成図である。
【図１８】従来の密着方式の画像読取装置が備える光源の斜視図である。
【図１９】従来の密着方式の画像読取装置が備えるロッドレンズアレイの斜視図である。
【図２０】エレクトロルミネッセンス膜を用いた光源の斜視図である。
【符号の説明】
５１  発光層
５２  透明基板片
５３  透明電極層
５４  金属電極層
Ｐ  接続点
【図１】
0003807494.tif 000002
【図２】
0003807494.tif 000003
【図３】
0003807494.tif 000004
【図４】
0003807494.tif 000005
【図５】
0003807494.tif 000006
【図６】
0003807494.tif 000007
【図７】
0003807494.tif 000008
【図８】
0003807494.tif 000009
【図９】
0003807494.tif 000010
【図１０】
0003807494.tif 000011
【図１１】
0003807494.tif 000012
【図１２】
0003807494.tif 000013
【図１３】
0003807494.tif 000014
【図１４】
0003807494.tif 000015
【図１５】
0003807494.tif 000016
【図１６】
0003807494.tif 000017
【図１７】
0003807494.tif 000018
【図１８】
0003807494.tif 000019
【図１９】
0003807494.tif 000020
【図２０】
0003807494.tif 000021